(57)【特許請求の範囲】
【請求項１】
映像信号と同期信号が合成された入力信号から同期信号を分離して出力する同期分離処理装置を備えた映像表示装置において、
前記同期分離処理装置には、第１の映像信号と第１の同期信号を含む第１の入力信号と、第２の映像信号と前記第１の同期信号と異なる周波数を持つ第２の同期信号を含む第２の入力信号とが入力され、
前記同期分離処理装置は、前記入力された入力信号から前記第１の同期信号を分離する第一の同期分離処理部と、
前記入力された入力信号から前記第２の同期信号を分離する第二の同期分離処理部と、
前記第一及び／または第二の同期分離処理部によって分離された前記第１及び／または第２の同期信号の周波数を検出する検出部と、
前記第一及び第二の同期分離処理部によって分離された前記第１及び第２の同期信号のいずれか一つを選択して出力する切換部と、
前記検出部からの検出結果に応じて、前記第１及び第２の同期信号のいずれかを得るように前記切換部を制御する制御部と、
を備え、前記制御部は、前記第一の同期信号分離処理部によって分離され前記検出部によって検出された同期信号の周波数が前記第１の同期信号の周波数と等しい場合に、前記第一の同期分離処理部によって分離された第１の同期信号を出力するように前記切換部を制御し、前記第二の同期信号分離処理部によって分離され前記検出部によって検出された同期信号の周波数が前記第２の同期信号の周波数と等しい場合に、前記第二の同期分離処理部によって分離された第２の同期信号を出力するように前記切換部を制御することを特徴とする映像表示装置。
【請求項２】
第１の映像信号と第１の同期信号を含む第１の入力信号と、第２の映像信号と前記第１の同期信号と異なる周波数を持つ第２の同期信号を含む第２の入力信号が入力される入力部と、
前記入力部に入力された入力信号から前記第１の同期信号を分離して出力するための第一の同期分離処理部と、
前記入力部に入力された入力信号から前記第２の同期信号を分離して出力するための第二の同期分離処理部と、
前記第一及び／または第二の同期分離処理部から出力された前記第１及び／または第２の同期信号の周波数を検出する検出部と、
前記第１の同期分離処理部から出力された第１の同期信号、または前記第二の同期分離処理部から出力された前記第２の同期信号を切り換えて出力する切換部と、
前記検出部からの検出結果を受けて、前記切換部が第１及び第２の同期信号のいずれかを出力するように該切換部を制御する制御部と、
を備え、前記制御部は、前記第一の同期信号分離処理部によって分離され前記検出部によって検出された同期信号の周波数が前記第１の同期信号の周波数と等しい場合に、前記第一の同期分離処理部によって分離された第１の同期信号を出力するように前記切換部を制御し、前記第二の同期信号分離処理部によって分離され前記検出部によって検出された同期信号の周波数が前記第２の同期信号の周波数と等しい場合に、前記第二の同期分離処理部によって分離された第２の同期信号を出力するように前記切換部を制御することを特徴とする映像表示装置。
【請求項３】
前記検出部は、前記第一の同期分離部によって分離された第１の同期信号の周波数を検出する第一の検出部と、前記第二の同期分離部によって分離された第２の同期信号の周波数を検出する第二の検出部とを含むことを特徴とする請求項１に記載の映像表示装置。
【発明の詳細な説明】
【０００１】
【発明の属する技術分野】
本発明は、例えばテレビジョン受信機（以下、単にテレビと呼ぶ）などの映像表示装置に用いられる同期分離処理装置に係り、特に、異なる周波数の同期信号が合成された複数の入力信号（テレビジョン信号等）の各々から、好適に同期信号を分離するように構成された同期分離処理装置に関する。
【０００２】
【従来の技術】
テレビジョン信号やパーソナルコンピュータから出力されるシンク・オン・グリーン信号等は、映像信号と同期信号とが合成されているため、テレビやＰＣ用ディスプレイ等のセット内部でこれらの信号を処理しようとする場合には、例えばCQ出版社発行のトランジスタ技術ＳＰＥＣＩＡＬ（ＮＯ．５２）１４８頁〜１４９頁等に示されているように、同期分離処理装置を用いて映像信号と同期信号とを分離する必要がある。
【０００３】
従来技術における同期分離処理装置の一例について、図２を用いて以下に説明する。テレビジョン信号等のコンポーネントビデオ信号は、輝度信号と同期信号が合成された所謂Ｙ信号と、色差信号である所謂ＰＢ、ＰＲ信号からなっている。コンポーネントビデオ信号のフォーマットとしては水平周波数が１５ｋHz、垂直周波数が６０Hz（例えば、４８０ｉ方式）の信号と、水平周波数が３１．５ｋHz、垂直周波数が６０Hz（例えば、４８０ｐ方式）の信号と、水平周波数が３３．７５ｋHz、垂直周波数が６０Hz（例えば、１０８０ｉ方式）の信号、水平周波数が４５ｋHz、垂直周波数が６０Hz（７２０ｐ）の信号等の様々なフォーマットの信号が有る。
【０００４】
一般にテレビでコンポーネントビデオ信号を受信する場合、コンポーネントビデオ信号のうち、Ｙ信号が入力信号１として同期分離処理装置２の入力部３に入力される。入力信号１は同期分離処理部２１で同期分離処理され水平同期信号２２と垂直同期信号２３が出力される。出力された水平同期信号２２と垂直同期信号２３は同期処理回路、偏向回路、信号処理回路等の各種回路１９へ入力されるとともに検出部２４に入力される。検出部２４では同期信号入力の有無や、入力された同期信号の周波数等の状態を検出し、検出結果２５を出力する。制御部２６では検出結果２５の状態に応じて各種回路１９に対して所望の制御を行う。
【０００５】
例えば、水平周波数が１５ｋＨｚ、垂直周波数が６０Ｈｚのコンポーネントビデオ信号を受信した場合、水平周波数が１５ｋＨｚ、垂直周波数が６０ＨｚのＹ信号が入力信号１として同期分離処理装置２の入力部３に入力される。入力信号１は同期分離処理部２１で同期分離処理され１５ｋＨｚの水平同期信号２２と６０Ｈｚの垂直同期信号２３が出力される。出力された水平同期信号２２と垂直同期信号２３は同期処理回路、偏向回路、信号処理回路等の各種回路１９へ入力されるとともに検出部２４に入力される。検出部２４においては水平周波数が１５ｋＨｚ、垂直周波数が６０Ｈｚの同期信号が入力されている状態であると検出され、検出結果２５を出力する。制御部２６では検出結果２５に応じて各種回路１９に対して水平周波数が１５ｋＨｚ、垂直周波数が６０Ｈｚで動作するよう制御信号２７を出力する。これにより各種回路１９は水平周波数が１５ｋＨｚ、垂直周波数が６０Ｈｚで動作を行う。
【０００６】
次に、水平周波数が４５ｋＨｚ、垂直周波数が６０Ｈｚのコンポーネントビデオ信号を受信した場合、水平周波数が４５ｋＨｚ、垂直周波数が６０ＨｚのＹ信号が入力信号１として同期分離処理装置２の入力部３に入力される。入力信号１は同期分離処理部２１で同期分離処理され４５ｋＨｚの水平同期信号２２と６０Ｈｚの垂直同期信号２３が出力される。出力された水平同期信号２２と垂直同期信号２３は同期処理回路、偏向回路、信号処理回路等の各種回路１９へ入力されるとともに検出部２４に入力される。検出部２４においては水平周波数が４５ｋＨｚ、垂直周波数が６０Ｈｚの同期信号が入力されている状態であると検出され、検出結果２５を出力する。制御部２６では検出結果２５に応じて各種回路１９に対して水平周波数が４５ｋＨｚ、垂直周波数が６０Ｈｚで動作するよう制御信号２７を出力する。これにより各種回路１９は水平周波数が４５ｋＨｚ、垂直周波数が６０Ｈｚで動作を行う。
【０００７】
【発明が解決しようとする課題】
図４に同期分離処理された同期信号の波形の例を示す。上記従来技術において、例えば同期分離処理部２１の同期分離処理特性を水平周波数が１５ｋＨｚ、垂直周波数が６０ＨｚのＹ信号を同期分離処理するのに最適な特性とした場合、入力信号１として水平周波数が１５ｋＨｚ、垂直周波数が６０ＨｚのＹ信号を同期分離処理装置２の入力部３に入力すると、同期分離処理部２１では正確に同期分離処理され、図４の（ａ）に示すような周波数が１５ｋＨｚの水平同期信号２２と図４の（ｄ）に示すような周波数が６０Ｈｚの垂直同期信号２３が出力される。
【０００８】
しかし、入力信号１として水平周波数が４５ｋＨｚ、垂直周波数が６０ＨｚのＹ信号を同期分離処理装置２の入力部３に入力した場合、同期分離処理部２１の同期分離処理特性は水平周波数が１５ｋＨｚ、垂直周波数が６０ＨｚのＹ信号を同期分離処理するのに最適な特性となっている為、同期分離処理動作が誤動作し、同期分離処理部２１から出力される水平同期信号２２は図４の（ｂ）に示すように同期の一部が欠落したり、図４の（ｃ）に示すように不要な同期が付加された同期信号が出力されるという問題がある。
【０００９】
尚、ここで、同期分離処理部の特性とは、例えば、同期分離処理部２１における映像信号と比較される基準電圧の電圧レベル、及びノイズ除去用フィルタの特性（コンデンサや抵抗などの回路素子の定数）を指すものである。
【００１０】
本発明は、上記のような問題に鑑みて為されたものであり、その目的は、複数のフォーマットの入力信号に対して、正確に同期分離処理を行うことができる同期分離処理装置を提供することにある。
【００１１】
【課題を解決するための手段】
上記目的を達成するための、本発明に係る同期分離処理装置は、複数の同期周波数の入力信号に各々対応した（その入力信号の周波数に対して最適に同期分離特性を持つ）第一及び第二の同期分離処理部を備え、第一及び／または第二の同期分離処理部によって分離された同期信号の周波数などの状態を検出部により検出し、該検出結果に応じて前記第一及び第二の同期分離部によって分離された同期信号のいずれか一つを同期信号切換部により選択して出力することを特徴とするものである。
【００１２】
上記検出部は、前記第一の同期分離回路によって分離された同期信号の状態を検出する第一の検出部と、前記第二の同期分離回路によって分離された同期信号の状態を検出する第二の検出部とを含むものであってもよい。
【００１３】
また、前記検出部の検出結果に基づいて前記同期信号切換部を制御するための制御部を更に備え、分離された同期信号の周波数が第一の入力信号に合成された同期信号の周波数と等しい場合に、第一の同期分離処理部の出力信号を選択して出力するように前記同期信号切換部を制御し、分離された同期信号の周波数が第二の入力信号に合成された同期信号の周波数と等しい場合に、第二の同期分離処理部の出力信号を選択して出力するように前記同期信号切換部を制御するようにしてもよい。
【００１４】
【発明の実施の形態】
以下、本発明の実施の形態について、図面を参照しつつ具体的に説明する。図１は本発明の一実施の形態であり、テレビの同期分離処理装置のシステム構成を示している。
【００１５】
入力信号１は、同期分離処理装置２の入力部３に入力され、第一の同期分離処理部４で同期分離処理され第一の水平同期信号６と第一の垂直同期信号７が出力される。第一の水平同期信号６と第一の垂直同期信号７は同期信号切換部１６に入力されるとともに第一の検出部１０に入力される。第一の検出部１０では同期信号入力の有無や、入力された同期信号の周波数等の状態検出を行ない、第一の検出結果１２を出力する。
【００１６】
一方、同期分離処理装置２の入力部３に入力された入力信号１は、第二の同期分離処理部５で同期分離処理され第二の水平同期信号８と第二の垂直同期信号９が出力される。第二の水平同期信号８と第二の垂直同期信号９は同期信号切換部１６に入力されるとともに第二の検出部１１に入力される。第二の検出部１１では同期信号入力の有無や、入力された同期信号の周波数等の状態検出を行ない、第二の検出結果１３を出力する。
【００１７】
制御部１４では第一の検出結果１２と第二の検出結果１３の状態に応じて同期信号切換部１６に対して所望の同期信号に切換えて出力するように第一の制御信号１５を出力する。これにより同期信号切換部１６から所望の第三の水平同期信号１７と第三の垂直同期信号１８が出力され、同期処理回路、偏向回路、信号処理回路等の各種回路１９に入力される。
【００１８】
また、制御部１４では第一の検出結果１２と第二の検出結果１３の状態に応じて同期処理回路、偏向回路、信号処理回路等の各種回路１９に対して所望の水平周波数および垂直周波数で動作するよう第二の制御信号２０を出力する。これにより各種回路１９は所望の水平周波数および垂直周波数で動作を行う。
【００１９】
例えば第一の同期分離処理部４の同期分離処理特性を水平周波数が１５ｋＨｚ、垂直周波数が６０ＨｚのＹ信号を同期分離処理するのに最適な特性、すなわち、第一の同期分離処理部４の映像信号と比較される基準電圧のレベル、及びノイズ除去用フィルタを構成する回路素子の定数を上記周波数の同期信号を分離するのに適した設定とする。また、第二の同期分離処理部５の同期分離処理特性を水平周波数が４５ｋＨｚ、垂直周波数が６０ＨｚのＹ信号を同期分離処理するのに最適な特性に設定したとする。
【００２０】
ここで、入力信号１として水平周波数が１５ｋＨｚ、垂直周波数が６０ＨｚのＹ信号を同期分離処理装置２の入力部３に入力した場合、第一の同期分離処理部４では正確に同期分離処理され、周波数が１５ｋＨｚの第一の水平同期信号６と周波数が６０Ｈｚの第一の垂直同期信号７が出力される。第二の同期分離処理部５では、水平周波数が４５ｋＨｚ、垂直周波数が６０ＨｚのＹ信号を同期分離処理するのに最適な同期分離処理特性に設定している為、同期分離処理が誤動作し、水平周波数が１５ｋＨｚの同期信号に対して同期信号の一部が欠落したり、不要な同期が付加された状態の第二の水平同期信号８と、周波数が６０Ｈｚの第二の垂直同期信号９が出力される。第一の水平同期信号６と第一の垂直同期信号７は同期信号切換部１６に入力されるとともに第一の検出部１０に入力される。第二の水平同期信号８と第二の垂直同期信号９は同期信号切換部１６に入力されるとともに第二の検出部１１に入力される。
【００２１】
第一の検出部１０では水平周波数が１５ｋＨｚで且つ垂直周波数が６０Ｈｚの同期信号が入力されている状態であると検出され、第一の検出結果１２を出力する。第二の検出部１１では水平周波数が４５ｋＨｚで且つ垂直周波数が６０Ｈｚの同期信号は入力されていない状態であると検出され、第二の検出結果１３を出力する。制御部１４では、第一の検出結果１２と第二の検出結果１３から、入力信号１は水平周波数が１５ｋＨｚ、垂直周波数が６０Ｈｚの信号であると判別し、同期信号切換部１６に対して第一の水平同期信号６と、第一の垂直同期信号７を出力するように第一の制御信号１５を出力する。これにより同期信号切換部１６から正確に同期分離処理された水平周波数が１５ｋＨｚの第三の水平同期信号１７と垂直周波数が６０Ｈｚの第三の垂直同期信号１８が出力され、同期処理回路、偏向回路、信号処理回路等の各種回路１９に入力される。
【００２２】
また、制御部１４から同期処理回路、偏向回路、信号処理回路等の各種回路１９に対して水平周波数が１５ｋＨｚ、垂直周波数が６０Ｈｚで動作するよう第二の制御信号２０を出力する。これにより各種回路１９は水平周波数が１５ｋＨｚ、垂直周波数が６０Ｈｚで動作を行う。例えば、同期処理回路に対しては、発振周波数、ＡＦＣの時定数及び位相を、水平周波数が１５ｋＨｚ、垂直周波数が６０Ｈｚで動作するのに適した値となるように各要素を切換制御する。偏向回路に対しては、共振コンデンサ、Ｓ字補正コンデンサ、リニアリティ補正コンデンサ、サイドピン補正回路、ダイナミックフォーカス電圧の特性を、水平周波数が１５ｋＨｚ、垂直周波数が６０Ｈｚで動作するのに適した値となるように各要素（回路定数）を切換制御する。信号処理回路に対しては、信号スイッチ回路、映像設定（画質特性、ノイズリダクション特性）を、水平周波数が１５ｋＨｚ、垂直周波数が６０Ｈｚで動作するのに適した値となるように各要素を切換制御する。
【００２３】
次に、入力信号１として水平周波数が４５ｋＨｚ、垂直周波数が６０ＨｚのＹ信号を同期分離処理装置２の入力部３に入力した場合、第二の同期分離処理部５では正確に同期分離処理され、周波数が４５ｋＨｚの第二の水平同期信号８と周波数が６０Ｈｚの第二の垂直同期信号９が出力される。第一の同期分離処理部４では、水平周波数が１５ｋＨｚ、垂直周波数が６０ＨｚのＹ信号を同期分離処理するのに最適な同期分離処理特性に設定している為、同期分離処理が誤動作し、水平周波数が４５ｋＨｚの同期信号に対して同期信号の一部が欠落したり、不要な同期が付加された状態の第一の水平同期信号６と、周波数が６０Ｈｚの第一の垂直同期信号７が出力される。第一の水平同期信号６と第一の垂直同期信号７は同期信号切換部１６に入力されるとともに第一の検出部１０に入力される。第二の水平同期信号８と第二の垂直同期信号９は同期信号切換部１６に入力されるとともに第二の検出部１１に入力される。
【００２４】
第一の検出部１０では水平周波数が１５ｋＨｚで且つ垂直周波数が６０Ｈｚの同期信号は入力されていない状態であると検出され、第一の検出結果１２を出力する。第二の検出部１１では水平周波数が４５ｋＨｚで且つ垂直周波数が６０Ｈｚの同期信号が入力されている状態であると検出され、第二の検出結果１３を出力する。制御部１４では、第一の検出結果１２と第二の検出結果１３から、入力信号１は水平周波数が４５ｋＨｚ、垂直周波数が６０Ｈｚの信号であると判別し、同期信号切換部１６に対して第二の水平同期信号８と、第二の垂直同期信号９を出力するように第一の制御信号１５を出力する。これにより同期信号切換部１６から正確に同期分離処理された水平周波数が４５ｋＨｚの第三の水平同期信号１７と垂直周波数が６０Ｈｚの第三の垂直同期信号１８が出力され、同期処理回路、偏向回路、信号処理回路等の各種回路１９に入力される。
【００２５】
また、制御部１４から同期処理回路、偏向回路、信号処理回路等の各種回路１９に対して水平周波数が４５ｋＨｚ、垂直周波数が６０Ｈｚで動作するよう第二の制御信号２０を出力する。これにより各種回路１９は水平周波数が４５ｋＨｚ、垂直周波数が６０Ｈｚで動作を行う。各種回路１９に対する制御の具体例は前述したものと同様である。
【００２６】
以上説明したように、本発明の一実施の形態によれば、複数のフォーマットの入力信号に対し、各々の入力信号のフォーマットに適した特性の同期分離処理部により同期分離処理した同期信号が得られる為、複数のフォーマットの入力信号に対して、正確に同期分離処理を行える同期分離処理装置を提供することができる。また、上記実施の形態において、第一の検出部１０、第二の検出部１１および制御部１４はマイコンで構成しても良い。また、上記実施の形態において、同期分離処理部と検出部は各々２系統具備しているが、信号フォーマットの種類に応じてさらに追加しても良い。更に、上記実施の形態において、制御部１４は第一の検出結果１２と第二の検出結果１３により入力信号１の状態判断を行っているが、別途入力信号１の状態を検出する手段を有する場合は該別途入力信号１の状態を検出する手段による検出結果と第一の検出結果１２と第二の検出結果１３により入力信号１の状態判断を行っても良い。
【００２７】
次に、本発明の他の実施形態について、図３を用いて説明する。図３は、本発明の他の実施例であり、テレビの同期分離処理装置のシステム構成を示している。
【００２８】
入力信号１は同期分離処理装置２の入力部３に入力され、第一の同期分離処理部４で同期分離処理され第一の水平同期信号６と第一の垂直同期信号７が出力される。第一の水平同期信号６と第一の垂直同期信号７は第一の同期信号切換部３５に入力されるとともに第二の同期信号切換部２８に入力される。一方、同期分離処理装置２の入力部３に入力された入力信号１は、第二の同期分離処理部５で同期分離処理され第二の水平同期信号８と第二の垂直同期信号９が出力される。第二の水平同期信号８と第二の垂直同期信号９は第一の同期信号切換部３５に入力されるとともに第二の同期信号切換部２８に入力される。第二の同期信号切換部２８では制御部３３から出力された第三の制御信号３４により適宜同期信号の切換を行い、第四の水平同期信号２９と第四の垂直同期信号３０が出力される。第二の同期信号切換部２８から出力された第四の水平同期信号２９と第四の垂直同期信号３０は検出部３１に入力される。検出部３１では同期信号入力の有無や、入力された同期信号の周波数等の状態検出を行ない、検出結果３２を出力する。
【００２９】
制御部３３では検出結果３２の状態に応じて第一の同期信号切換部３５に対して所望の同期信号に切換えて出力するように第一の制御信号１５を出力する。これにより第一の同期信号切換部３５から所望の第三の水平同期信号３６と第三の垂直同期信号３７が出力され、同期処理回路、偏向回路、信号処理回路等の各種回路１９に入力される。
【００３０】
また、制御部３３では検出結果３２の状態に応じて同期処理回路、偏向回路、信号処理回路等の各種回路１９に対して所望の水平周波数および垂直周波数で動作するよう第二の制御信号２０を出力する。これにより各種回路１９は所望の水平周波数および垂直周波数で動作を行う。
【００３１】
例えば第一の同期分離処理部４の同期分離処理特性を水平周波数が１５ｋＨｚ、垂直周波数が６０ＨｚのＹ信号を同期分離処理するのに最適な特性に設定し、第二の同期分離処理部５の同期分離処理特性を水平周波数が４５ｋＨｚ、垂直周波数が６０ＨｚのＹ信号を同期分離処理するのに最適な特性に設定したとする。
【００３２】
ここで、入力信号１として水平周波数が１５ｋＨｚ、垂直周波数が６０ＨｚのＹ信号を同期分離処理装置２の入力部３に入力した場合、第一の同期分離処理部４では正確に同期分離処理され、周波数が１５ｋＨｚの第一の水平同期信号６と周波数が６０Ｈｚの第一の垂直同期信号７が出力される。第二の同期分離処理部５では、水平周波数が４５ｋＨｚ、垂直周波数が６０ＨｚのＹ信号を同期分離処理するのに最適な同期分離処理特性に設定している為、同期分離処理が誤動作し、水平周波数が１５ｋＨｚの同期信号に対して同期信号の一部が欠落したり、不要な同期が付加された状態の第二の水平同期信号８と、周波数が６０Ｈｚの第二の垂直同期信号９が出力される。
【００３３】
第一の水平同期信号６と第一の垂直同期信号７、および第二の水平同期信号８と第二の垂直同期信号９は第一の同期信号切換部３５に入力されるとともに第二の同期信号切換部２８に入力される。
【００３４】
制御部３３は第二の同期信号切換部２８に対して出力を時分割して切換えるよう第三の制御信号３４を出力する。第三の制御信号３４の状態を図を用いて説明する。図５は本発明の他の実施例における第三の制御信号３４の状態の例を示した図である。図５において第三の制御信号３４がＨの時は第二の同期信号切換部２８から第一の水平同期信号６と第一の垂直同期信号７が出力され、Ｌの時は第二の水平同期信号８と第二の垂直同期信号９が出力されるものとする。
【００３５】
制御部３３は第二の同期信号切換部２８に対してＡの期間およびＣの期間では、第一の水平同期信号６と第一の垂直同期信号７を出力するように第三の制御信号３４を出力する。またＢの期間およびＤの期間では、第二の水平同期信号８と第二の垂直同期信号９を出力するように第三の制御信号３４を出力する。
【００３６】
これにより、第二の同期信号切換部２８から出力される第四の水平同期信号２９と第四の垂直同期信号３０はＡの期間およびＣの期間では、第一の水平同期信号６と第一の垂直同期信号７が出力され、Ｂの期間およびＤの期間では、第二の水平同期信号８と第二の垂直同期信号９が出力される。
【００３７】
検出部３１ではＡからＤの各期間において、各々の同期信号入力の有無や、入力された同期信号の周波数等の状態検出を行ない、検出結果３２を出力する。また、制御部３３では、Ａの期間およびＣの期間では、水平周波数が１５ｋＨｚで且つ垂直周波数が６０Ｈｚの同期信号が入力されている状態であり、Ｂの期間およびＤの期間では、水平周波数が４５ｋＨｚで且つ垂直周波数が６０Ｈｚの同期信号は入力されていない状態であることから、入力信号１は水平周波数が１５ｋＨｚ、垂直周波数が６０Ｈｚの信号であると判別し、第一の同期信号切換部３５に対して第一の水平同期信号６と、第一の垂直同期信号７を出力するように第一の制御信号１５を出力する。これにより第一の同期信号切換部３５から正確に同期分離処理された水平周波数が１５ｋＨｚの第三の水平同期信号３６と垂直周波数が６０Ｈｚの第三の垂直同期信号３７が出力され、同期処理回路、偏向回路、信号処理回路等の各種回路１９に入力される。また、制御部３３から同期処理回路、偏向回路、信号処理回路等の各種回路１９に対して水平周波数が１５ｋＨｚ、垂直周波数が６０Ｈｚで動作するよう第二の制御信号２０を出力する。これにより各種回路１９は水平周波数が１５ｋＨｚ、垂直周波数が６０Ｈｚで動作を行う。
【００３８】
次に、入力信号１として水平周波数が４５ｋＨｚ、垂直周波数が６０ＨｚのＹ信号を同期分離処理装置２の入力部３に入力した場合、第二の同期分離処理部５では正確に同期分離処理され、周波数が４５ｋＨｚの第二の水平同期信号８と周波数が６０Ｈｚの第二の垂直同期信号９が出力される。第一の同期分離処理部４では、水平周波数が１５ｋＨｚ、垂直周波数が６０ＨｚのＹ信号を同期分離処理するのに最適な同期分離処理特性に設定している為、同期分離処理が誤動作し、水平周波数が４５ｋＨｚの同期信号に対して同期信号の一部が欠落したり、不要な同期が付加された状態の第一の水平同期信号６と、周波数が６０Ｈｚの第一の垂直同期信号７が出力される。第一の水平同期信号６と第一の垂直同期信号７、および第二の水平同期信号８と第二の垂直同期信号９は第一の同期信号切換部３５に入力されるとともに第二の同期信号切換部２８に入力される。
【００３９】
制御部３３は第二の同期信号切換部２８に対して、Ａの期間およびＣの期間では、第一の水平同期信号６と第一の垂直同期信号７を出力するように第三の制御信号３４を出力する。またＢの期間およびＤの期間では、第二の水平同期信号８と第二の垂直同期信号９を出力するように第三の制御信号３４を出力する。
【００４０】
これにより第二の同期信号切換部２８から出力される第四の水平同期信号２９と第四の垂直同期信号３０はＡの期間およびＣの期間では、第一の水平同期信号６と第一の垂直同期信号７が出力され、Ｂの期間およびＤの期間では、第二の水平同期信号８と第二の垂直同期信号９が出力される。
【００４１】
検出部３１ではＡからＤの各期間において、各々の同期信号入力の有無や、入力された同期信号の周波数等の状態検出を行ない、検出結果３２を出力する。
【００４２】
制御部３３では、Ａの期間およびＣの期間では、水平周波数が１５ｋＨｚで且つ垂直周波数が６０Ｈｚの同期信号は入力されていない状態であり、Ｂの期間およびＤの期間では、水平周波数が４５ｋＨｚで且つ垂直周波数が６０Ｈｚの同期信号が入力されている状態であることから、入力信号１は水平周波数が４５ｋＨｚ、垂直周波数が６０Ｈｚの信号であると判別し、第一の同期信号切換部３５に対して第二の水平同期信号８と、第二の垂直同期信号９を出力するように第一の制御信号１５を出力する。これにより第一の同期信号切換部３５から正確に同期分離処理された水平周波数が４５ｋＨｚの第三の水平同期信号３６と垂直周波数が６０Ｈｚの第三の垂直同期信号３７が出力され、同期処理回路、偏向回路、信号処理回路等の各種回路１９に入力される。また、制御部３３から同期処理回路、偏向回路、信号処理回路等の各種回路１９に対して水平周波数が４５ｋＨｚ、垂直周波数が６０Ｈｚで動作するよう第二の制御信号２０を出力する。これにより各種回路１９は水平周波数が４５ｋＨｚ、垂直周波数が６０Ｈｚで動作を行う。
【００４３】
以上説明したように、この実施の形態によれば、複数のフォーマットの入力信号に対し、各々の入力信号のフォーマットに適した特性の同期分離処理部により同期分離処理した同期信号が得られる為、複数のフォーマットの入力信号に対して、正確に同期分離処理を行える同期分離処理装置を提供することができる。
【００４４】
上記他の実施形態において、検出部３１および制御部３３はマイコンで構成しても良い。また、同期分離処理部は２系統具備しているが、信号フォーマットの種類に応じてさらに追加しても良い。更に、制御部３３は検出結果３２により入力信号１の状態判断を行っているが、別途入力信号１の状態を検出する手段を有する場合は該別途入力信号１の状態を検出する手段による検出結果と検出結果３２により入力信号１の状態判断を行っても良い。
【００４５】
【発明の効果】
以上説明したように、本発明によれば、複数のフォーマットの入力信号に対し、各々の入力信号のフォーマットに適した特性の同期分離処理部により同期分離処理した同期信号が得られる為、複数のフォーマットの入力信号に対して、正確に同期分離処理を行うことが可能となる。
【図面の簡単な説明】
【図１】本発明に係る同期分離処理装置の一実施の形態を示すシステム構成図
【図２】従来における同期分離処理装置のシステム構成図
【図３】本発明に係る同期分離処理装置の他の実施形態を示すシステム構成図
【図４】同期分離処理された同期信号の波形を示す図
【図５】他の実施例における第三の制御信号３４の状態を示す図
【符号の説明】
１…入力信号，２…同期分離処理装置，３…入力部，４…第一の同期分離処理部，５…第二の同期分離処理部，１０…第一の検出部，１１…第二の検出部
１４…制御部，１６…同期信号切換部，１９…各種回路
【図１】
0003780150.tif 000002
【図２】
0003780150.tif 000003
【図３】
0003780150.tif 000004
【図４】
0003780150.tif 000005
【図５】
0003780150.tif 000006